(57)【要約】【課題】耐食性が良く、雨樋を簡単に設けることもでき、外観にも優れたシェルタ用屋根構造を得ること。【解決手段】シェルタ用屋根構造１０は、支柱１１の上方に梁材１２を構築し、梁材上に屋根材１３を載置している。梁材１２に構造用折板１４を固定し、構造用折板上にガルバリウム鋼板１５を屋根材１３として設置する。屋根中央部に長手方向に沿って雨樋１６を設けることができる。梁材１２の下部に天井材１７を固定してもよい。支柱１１は、片持ち式支持、Ｔ字式支持、または門型式支持のいずれでもよい。【選択図】図１
0003139771.tif 000002
【実用新案登録請求の範囲】
【請求項１】
支柱上方に梁材を構築し、該梁材に屋根材を設置したシェルタ用屋根構造において、前記梁材間に構造用折板を固定し、前記構造用折板上にガルバリウム鋼板を屋根材として設置した、シェルタ用屋根構造。
【請求項２】
前記梁材は相互に離間した支柱を連結する方向に配置される２本の相互に平行な中央梁材と、各支柱から中央梁材と直交または交差する方向へそれぞれ配置される横梁材と、各横梁材の伸延端間を連結するようにそれぞれ配置される縦梁材とから構成される、請求項１に記載のシェルタ用屋根構造。
【請求項３】
前記屋根材中央部に長手方向に沿って雨樋を設けた、請求項１または２に記載のシェルタ用屋根構造。
【請求項４】
前記梁材下部に天井材を固定した、請求項１、２または３に記載のシェルタ用屋根構造。
【考案の詳細な説明】
【技術分野】
【０００１】
本考案は、バス停留所、タクシ乗場、連絡通路、簡易駐車場、簡易資材置場等のシェルタの屋根に構築されるシェルタ用屋根構造に関するものである。
【背景技術】
【０００２】
従来のシェルタ用屋根構造の代表例を図４〜７に示す。従来のシェルタ用屋根構造１は、図４〜６に示すように、支柱（鋼材）２の上方に梁材（鋼材）３を構築し、梁材３上に屋根材４を載置している。屋根材４には、構造用折板（鋼材）が用いられる。また、支柱２の支持形式としては、図７に示すように、片持ち式支持（Ａ）、Ｔ字式支持（Ｂ）、門型支持（Ｃ）がある。図４では、代表例としてＴ字式支持形式を示している。
【０００３】
従来のシェルタ用屋根構造１において、屋根材４は、カラー折板材（鋼材）が多く用いられている。カラー折板材は、耐食性が悪く、外観も劣り、雨樋を設け難い等の問題がある。
【０００４】
さらに、折板材の上に断熱材を載置した断熱屋根（特許文献１）、折板材を梁材に簡易に取り付ける構造（特許文献２）、折板材に谷樋カバーを被せた耐雪害屋根構造（特許文献３）等が開示されている。しかし、これらの折板材は従来の折板材と同様な問題をいぜんとして残している。
【０００５】
近年、ガルバリウム鋼板が開発され、屋根材としても使用されるようになってきた。しかし、ガルバリウム鋼板がシェルタの屋根に使用された例はない。
【特許文献１】特開平１０−３０６５１９号公報
【特許文献２】特開平５−２９５８５９号公報
【特許文献３】特開平１０−３０６５１９号公報
【考案の開示】
【考案が解決しようとする課題】
【０００６】
本考案の課題は、耐食性が良く、雨樋を簡単に設けることもでき、外観的にも優れたシェルタ用屋根構造を得ることにある。
【課題を解決するための手段】
【０００７】
本考案は、支柱上方に梁材を構築し、この梁材に屋根材を設置したシェルタ用屋根構造に適用される。このシェルタ用屋根構造においては、梁材間に構造用折板を固定し、構造用折板上にガルバリウム鋼板を屋根材として設置している。
【０００８】
相互に離間した支柱を連結する方向に配置される２本の相互に平行な中央梁材と、各支柱から中央梁材と直交または交差する方向へそれぞれ配置される横梁材と、各横梁材の伸延端間を連結するようにそれぞれ配置される縦梁材とから梁材を構成することもできる。また、屋根材中央部に長手方向に沿って雨樋を設けることができる。梁材下部に天井材を固定してもよい。ガルバリウム鋼板は、鋼板の上下面にアルミニウム−亜鉛合金メッキを施し、アクリルシリコーン等で被覆したものである。従来の溶融亜鉛メッキ鋼板（トタン板）の３〜６倍の耐久性があると言われている。
【考案の効果】
【０００９】
本考案のシェルタ用屋根構造によれば、次の効果がえられる。
（１）無落雪タイプで、屋根構造が薄い。
（２）屋根構造が薄いにもかかわらず、雨樋を設置できる。
（３）屋根材にガルバリウム鋼板を使用しているので、耐久性がある。
（４）支柱間隔を広く取ることができるので、設計の自由度が増す。
（５）一般シェルタに比べて、デザイン性に優れている。
（６）天井板を張ることができるので、デザイン性をさらに向上できる。
【考案を実施するための最良の形態】
【００１０】
次に、図１〜３を参照して、本考案に基づくシェルタ用屋根構造１０の実施例について説明する。本考案は、支柱（鋼材）１１の上方に梁材（鋼材）１２を構築し、梁材１２に屋根材１３を設置したシェルタ用屋根構造１０に適用される。このシェルタ用屋根構造１０においては、梁材１２間に構造用折板（鋼材）１４を固定し、構造用折板１４上にガルバリウム鋼板１５を屋根材１３として設置している。
【００１１】
梁材１２は、相互に離間した支柱１１を連結する方向に配置される２本の相互に平行な中央梁材１２１、１２１と、各支柱１１から中央梁材１２１と直交または交差する方向へそれぞれ配置される横梁材１２２と、各横梁材１２２の伸延端間を連結するようにそれぞれ配置される縦梁材１２３、１３３とから構成される。横梁材１２２はシェルタ上に降った雨や雪解け水が支柱１１方向へ流れるように適当に傾斜して設けられる。
【００１２】
構造用折板１４は、中央梁材１２１と横梁材１２２と縦梁材１２３とによって画定される空間内に固定金具１４１によって装着される。ガルバリウム鋼板１５は、２本の中央梁材１２１、１２１間の空間内に位置する雨樋１６を備えている。天井材１７は梁材１２または構造用折板１４に直接取り付けてもよいが、天井材１７が全体として１枚の板状形体を呈することにより利用者に広がり感を与えることができるため、構造用折板１４の下面側に支持板１４２を吊り金具１４１によって水平に配置し、天井材１７を固定金具１４３によって支持板１４２に着脱自在に取り付けるのが好ましい。
【００１３】
ガルバリウム鋼板１５は、鋼板の上下面にアルミニウム−亜鉛合金メッキを施し、アクリルシリコーン等で被覆したものである。ガルバリウム鋼板は比較的薄く、軽量で耐食性に優れている。
【産業上の利用可能性】
【００１４】
本考案のシェルタ用屋根構造は、高温地域、多雨地域、または多雪地域等にも適している。また、支柱１１は、図７に示すように、片持ち式支持（Ａ）、Ｔ字式支持（Ｂ）、または門型式支持（Ｃ）のいずれであっても同様に適用できる。
【図面の簡単な説明】
【００１５】
【図１】本考案に基づくシェルタ用屋根構造の斜視図である。
【図２】図１のＩＩ−ＩＩ線から見たシェルタ用屋根構造の正面図である。
【図３】図１のＩＩＩ−ＩＩＩ線から見たシェルタ用屋根構造の側面図である。
【図４】従来のシェルタ用屋根構造の斜視図である。
【図５】図４のＶ−Ｖ線から見た従来のシェルタ用屋根構造の正面図である。
【図６】図４のＶＩ−ＶＩ線から見た従来のシェルタ用屋根構造の側面図である。
【図７】従来のシェルタ用屋根構造の正面図であって、各種支柱形式を示す。
【符号の説明】
【００１６】
１０  シェルタ用屋根構造                      １１  支柱
１２  梁                                      １３  屋根材
１４  構造用折板                              １５  ガルバリウム鋼板
１６  雨樋                                    １７  天井材
【図１】
0003139771.tif 000003
【図２】
0003139771.tif 000004
【図３】
0003139771.tif 000005
【図４】
0003139771.tif 000006
【図５】
0003139771.tif 000007
【図６】
0003139771.tif 000008
【図７】
0003139771.tif 000009